(57)【特許請求の範囲】
【請求項１】
耕耘爪（１）を耕耘軸（７）の周りに配設した耕耘爪ロータ（２）と、
耕耘爪ロータ（２）の上方を覆うロータカバー（２２）と、
ロータカバー（２２）の後端部に設けるリヤカバー（３）を備え、
リヤカバー（３）の左右一側の下部に、耕耘爪ロータ（２）によって耕耘される耕耘土壌の横端部を内側へ培土する片培土器（４）と、この片培土器（４）の後側に取付けられて培土溝部の土壌を左右両側へ培土案内する左右一対の培土板（５，５）を備える畝立装置（６）を取り付け、この畝立装置（６）の往復作業走行により耕耘爪ロータ（２）幅よりも広幅の畝を成形するものであって、
片培土器（４）は、後部内側へ向けて傾斜状態に形成する培土成形板（４１）と、培土成形板（４１）の外側にあって前後方向に延びる外側板（４０）と、培土成形板（４１）の後部と外側板（４０）の後部を連結する後端板（４２）を備え、
後端板（４２）の外側縁と内側縁にそれぞれ前記左右一対の培土板（５，５）の前端部を連結し、
前記左右一対の培土板（５，５）それぞれの内側面と後端板（４２）を一対の伸縮調節具（４８，４８）でそれぞれ連結し、左右の培土板（５，５）の後方を拡縮調節可能に構成したことを特徴とする畝成形装置。
【発明の詳細な説明】
【技術分野】
【０００１】
トラクタの耕耘爪ロータによって耕耘される土壌面を、畝成形する畝成形装置に関する。
【背景技術】
【０００２】
圃場面の畦際土壌の一部を畦法面部へ移動させて畦塗器によって畦塗成形する技術（例えば、特許文献１参照）や、トラクタ耕耘ロータの後部に複数の畦立器を設けて複数条の畝条を作成する技術（例えば、特許文献２参照）等がある。
【先行技術文献】
【特許文献】
【０００３】
【特許文献１】特開２００８ー２３７０６０号公報
【特許文献２】特開２００２ー２６２６０１号公報
【発明の概要】
【発明が解決しようとする課題】
【０００４】
トラクタの後側部に装着の耕耘爪ロータによって耕耘する耕耘土壌面を、培土器乃至畦立器等によって、適宜幅の藩種畝、栽培畝等を形成する場合は、各畝幅が耕耘爪ロータによる耕耘幅よりも狭い領域に設定される形態となるもので、この畝幅を耕耘幅よりも広く形成する場合は、複条行程の耕耘行程による平耕耘作業を行った耕耘作業行程後に、トラクタの後部に培土器を装着して培土畝立作業を広幅間隔に、前記耕耘作業行程とは独立行程として行うため多くの作業行程を要し、非能率的である。
【課題を解決するための手段】
【０００５】
請求項１に記載の発明は、
耕耘爪（１）を耕耘軸（７）の周りに配設した耕耘爪ロータ（２）と、
耕耘爪ロータ（２）の上方を覆うロータカバー（２２）と、
ロータカバー（２２）の後端部に設けるリヤカバー（３）を備え、
リヤカバー（３）の左右一側の下部に、耕耘爪ロータ（２）によって耕耘される耕耘土壌の横端部を内側へ培土する片培土器（４）と、この片培土器（４）の後側に取付けられて培土溝部の土壌を左右両側へ培土案内する左右一対の培土板（５，５）を備える畝立装置（６）を取り付け、この畝立装置（６）の往復作業走行により耕耘爪ロータ（２）幅よりも広幅の畝を成形するものであって、
片培土器（４）は、後部内側へ向けて傾斜状態に形成する培土成形板（４１）と、培土成形板（４１）の外側にあって前後方向に延びる外側板（４０）と、培土成形板（４１）の後部と外側板（４０）の後部を連結する後端板（４２）を備え、
後端板（４２）の外側縁と内側縁にそれぞれ前記左右一対の培土板（５，５）の前端部を連結し、
前記左右一対の培土板（５，５）それぞれの内側面と後端板（４２）を一対の伸縮調節具（４８，４８）でそれぞれ連結し、左右の培土板（５，５）の後方を拡縮調節可能に構成したことを特徴とする畝成形装置の構成とする。
【０００６】
トラクタ車体の後部に装着の耕耘爪ロータ２の左、右いずれか一側後部のリヤカバー３の下面部に片培土器４、及び培土板５を取付けて、耕耘走行しながら培土作業を行う。このとき往行程で行われる耕耘爪ロータ２による耕耘幅の土壌面の一側の畦立装置６の位置する（左）側の土壌面が、この畦立装置６による培土作用を受けて片培土作用が行われる。即ち、耕耘土壌面の左側横端部が片培土器４によって培土されて、培土溝部の土壌が右側の耕耘幅中央部側へ培土されて、リヤカバー３によって上面を鎮圧均平しながら往行程の片側畦を形成する。
【０００７】
次に、往行程において、前記左側の片培土した耕耘土壌面幅域の培土溝部側とは反対側（右側）に隣接する未耕耘域の土壌面を折返して復行程を耕耘走行することによって、前記往行程時と同様に耕耘、片培土作用が行われ、しかも、この片培土作用は、前記往行程における培土位置とは反対側の位置において同様に行われるため、往行程と復行程との耕耘土壌面は相互に同一耕耘土壌面状に連続した耕耘土壌面とした形態に広幅に形成され、この広幅（耕耘爪ロータ幅の二倍幅）の耕耘土壌面の左、右両側端部に沿って各片培土器４、培土板５等による培土作用が行われる。従って、片培土器４及び培土板５は、ロータ２のリヤカバー３の一側端部に取付けた状態のままで、単に耕耘土壌面を往復耕耘走行することによって広幅の畝立成形を行うことができる。
【０００８】
【０００９】
【００１０】
【００１１】
【発明の効果】
【００１２】
請求項１に記載の発明は、耕耘爪ロータ２による耕耘片培土作業を、往復耕耘行程によって各々行わせることにより、該ロータ２幅よりも広い広幅の耕耘幅として、この耕耘幅の両側に沿って片培土器４、及び培土板５による培土溝部を形成して、広幅域の畝立土壌面を形成することができる。この耕耘爪ロータ２のリヤカバー３の一側端部下面に位置して配置の片培土器４や、培土板５等は往、復行程度共に定位置に設定された状態にあるから、片培土器を着脱したり、取付位置を切替えたりする等の特別の培土作業操作等を要することなく、簡単で安定した構成とし、及び、培土作業を容易に行わせることができ、作業性を高めることができる。
【００１３】
また、前記片培土器４は、耕耘爪ロータ２によって耕耘される土壌面を鎮圧均平するリヤカバー３の下面に取付けるものであるから、この片培土器４によって培土される土壌面を、このリヤカバー３の上下揺動によって鎮圧均平して、片培土器４による培土溝部の成形を安定した状態に行わせることができる。
【００１４】
【００１５】
また、前記片培土器４の後側に設ける培土板５は、拡縮調整可能であるから、耕耘爪ロータ２や、片培土器４による耕耘深さや、耕耘土壌の状態培土深さ、乃至培土溝部の広さ等に応じて広、狭形態に調整して、円滑で、的確な培土成形作用を行う状態に維持することができ、作業性をより良好に高めることができる。
【図面の簡単な説明】
【００１６】
【図１】畝成形装置部の側面図。
【図２】その平面図。
【図３】その畝装置部の斜視図。
【図４】その平面図（Ａ）、側面図（Ｂ）。
【図５】その培土作業行程を示す正面図。
【図６】別例を示すロータカバー部の斜視図。
【図７】その平面図。
【図８】一部別例を示すロータカバー部の斜視図。
【図９】その平面図。
【図１０】その作業状態を示す平面図（Ａ）、（Ｂ）。
【図１１】耕耘爪の形態を示す正面図。
【発明を実施するための形態】
【００１７】
図面に基づいて、耕耘爪１を耕耘軸７の周りに配設した耕耘爪ロータ２は、四輪走行形態のトラクタ８の後部に、ロアリンク９、トップリンク１０、及びリフトアーム１１に連結のリフトリンク１２等からなるリフトリンク機構を介して装着されて、この車体１３後部のＰＴＯ軸１４から連動して駆動回転して耕耘することができる。前記耕耘爪ロータ２は、耕耘軸７の左右両端部を軸受けする耕耘軸ケース１５の上端部間に亘って伝動ケース１６を設け、この伝動ケース１６の前側に形成のロアブラケット１７、及びトップブラケット１８を、前記リフトリンク機構の後端部に連結のヒッチリンク１９に係合させて連結する。前記ヒッチリンク１９の上端部のフック２０で、トップブラケット１８のトップピン２１を掬い上げることによって、ロアブラケット１７をヒッチリンク１９に引寄せ接近させて係合連結させることができる。また、前記ロータ２の回転は逆回転駆動させてアップカット形態として耕耘することも可能である。
【００１８】
前記耕耘爪ロータ２の回転上周部を覆うロータカバー２２を有し、このロータカバー２２の後端部にカバーピン２３周りに上下回動可能のリヤカバー３を設けて、ロータ２の回転によって耕耘する耕耘土壌面を鎮圧して均平するように構成している。前記伝動ケース１６の中央部から後方に亘ってリヤフレーム２４を突出して、このリヤフレーム２４の後端部に尾輪２５を有する尾輪フレーム２６を装着する。又、前記リヤフレーム２４と下方のリヤカバー３との間には、スプリング２７等を有するダンパー機構２８を設けて、前記リヤカバー３の後端部を下方へ弾発させている。前記トップブラケット１８とリヤフレーム２４との間には、ハンドル２９によって伸縮調節する伸縮ロッド３０を設けて、リヤフレーム２４の伝動ケース１６部に対する上下位置を調節変更し、畝高さを調節することができる。
【００１９】
トラクタ８は、車体１３の後端部リヤアクスルハウジング３１により後輪軸３２両端部の後輪３３を軸装し、フェンダー３４上側部にはキャビン３５を搭載している。
ここにおいて、この畝成形装置は、耕耘爪１ロータ２の一側後部のリヤカバー３の下面に、この耕耘爪ロータ２によって耕耘される耕耘土壌の横端部を内側へ培土する片培土器４と、この片培土器４の後側に取付けられて培土溝部の土壌を左右両側へ培土案内する培土板５を設けて畝立装置６を構成し、この畝立装置６の往、復作業走行の往行程Ｆと、復行程Ｒにより耕耘爪ロータ２幅よりも広幅Ｃ域の畝Ｄ立成形を行う構成とする。
【００２０】
トラクタ車体の後部に装着の耕耘爪ロータ２の左、右いずれか一側後部のリヤカバー３の下面部に片培土器４、及び培土板５を取付けて、耕耘走行しながら培土作業を行う。このとき往行程Ｆで行われる耕耘爪ロータ２による耕耘幅Ｌの土壌面の一側の畦立装置６の位置する（左）側の土壌面が、この畦立装置６による培土作用を受けて片培土作用が行われる。即ち、耕耘土壌面の左側横端部が片培土器４によって培土されて、培土溝部Ａの土壌が右側の耕耘幅中央部Ｃ側へ培土されて、リヤカバー３によって上面を鎮圧均平しながら往行程Ｆの片側畦を形成する。
【００２１】
次に、往行程Ｆにおいて、前記左側の片培土した耕耘土壌面幅Ｌ域の培土溝部Ａ側とは反対側（右側）に隣接する未耕耘域の土壌面を折返して復行程Ｒを耕耘走行することによって、前記往行程Ｆ時と同様に耕耘、片培土作用が行われ、しかも、この片培土作用は、前記往行程Ｆにおける培土位置とは反対側の位置において同様に行われるため、往行程Ｆと復行程Ｒとの耕耘土壌面は相互に同一耕耘土壌面状に連続した耕耘土壌面Ｄとした形態に広幅Ｃに形成され、この広幅Ｃ（耕耘爪ロータ幅の二倍幅）の耕耘土壌面Ｄの左、右両側端部に沿って各片培土器４、培土板５等による培土作用が行われて、広幅Ｃの耕耘土壌面Ｄと、この左右両側の培土溝部Ａ、Ｂを形成する。従って、片培土器４及び培土板５は、ロータ２のリヤカバー３の一側端部に取付けた状態のままで、単に耕耘土壌面を往復耕耘走行することによって広幅の畝立成形を行うことができる。
【００２２】
又、前記片培土器４は、耕耘爪１ロータ２の回転後部を覆って上下揺動可能に設けるリヤカバー３の後部下面に取付けて、このリヤカバー３で鎮圧する耕耘土壌を前記片培土器４によって片培土して培土溝部Ａ、Ｂを形成する。
【００２３】
前記片培土器４を装着するリヤカバー３は、耕耘爪ロータ２の上部を覆うロータカバーの後側に上下回動可能に装着されて、耕耘爪ロータ２によって耕耘される耕耘土壌面を鎮圧しながら均平に形成すると共に、この土壌を片培土器４によって培土する。従って、このリヤカバー３の下面に装着されて耕耘土壌面を片培土する土壌面をも、このリヤカバー３によって鎮圧しながら均平化して、培土跡の培土溝部Ａ、Ｂの法面の崩れを少くするように形成し、更に、この片培土器４によって形成される培土溝部の土壌面を後側の培土板５によって左、右へ培土成形して、より安定した培土溝部Ａ、Ｂを形成する。
【００２４】
又、前記培土板５は、前記リヤカバー３の後方位置において、このリヤカバー３下側に位置する片培土器４の後部に取付ける。
前記のように片培土器４は、リヤカバー３の一側端の下面側に設けられているため、この片培土器４によって培土形成される土壌面Ｄの上側面をリヤカバー３で鎮圧して安定した崩れ難い畝立面を形成する。このように片培土器４によって形成された跡の培土溝部Ａ、Ｂは、片培土器４によって培土されない側の土壌や、崩れ落ちた土壌等の残留土壌が、前記リヤカバー３による鎮圧作用を受けない状態の土壌があるが、この培土板５による培土作用を行わせることができるため、培土作用を円滑に行わせることができ、培土溝部Ａ、Ｂの仕上げをきれいに、良好に行わせることができる。
【００２５】
更に、前記培土板５は、片培土器４に対して左右外側へ回動可能に設け、培土角度θを拡縮調整可能に設ける。
前記リヤカバー３の下側に位置する片培土器４によって形成される培土溝部Ａ，Ｂにおいて、左右一対の培土器５による培土作用が行われ、安定したきれいな培土溝Ａ，Ｂを成形する。この片培土器４の後側の培土板５はターンバックル４８等によって左右外側へ適宜の開度θに拡縮調節されて、所定の溝幅形成に適合するようにして、培土溝幅Ｅ、乃至溝法面Ｇを圧接して、安定した培土溝部Ａ，Ｂの左右両側法面Ｇを摺動押圧形成することができる。このような培土板５の開度調節においては、上側にリヤカバー３が無く、鎮圧作用が働かないため、培土板５の回動を容易化すると共に、前記法面Ｇに対する培土板５による仕上げ培土作用は、リヤカバー３による均平作用から遅れて行われるため、培土板５による法面Ｇに対する培土を正確に、円滑に行って、きれいに法面仕上げすることができる。
【００２６】
前記リヤカバー３は、後下端縁部に沿って耕耘幅Ｃに亘って左右水平状に均平する均平部３６を形成する。このリヤカバー３の左、右横端部の下面側に片培土器４を着脱可能の構成としている。片培土器４は、リヤカバー３の左端側、又は右端側のいずれか一側にのみ取付構成するが、図２の場合は、左、右いずれか一側部に選択的に取付け可能の構成している。この形態では、片培土器４は、培土方向が相互に反対方向になるため、培土作業に当っては、取付ける側に適応する毎の片培土器４を格別に用意する必要がある。
【００２７】
前記リヤカバー３の後下端部の左、右両側端のサイドカバー３９内側のコーナ部３７を切除した形態として、このコーナ部３７を閉鎖するように着脱するコーナカバー３８を設ける。前記片培土器４は、このコーナカバー３８の下面に一体的に取付けて、このコーナカバー３８をコーナ部３７に取付けることによって片培土器４を装着した状態とする形態としている。又、片培土器４を装着しない側のコーナ部３７（図２のリヤカバー３では右端側のコーナ部３７を示す）は、片培土器４を有しない単なるコーナカバー３８のみを取付けて、この右端部のコーナ部３７を均平可態の形態としている。
【００２８】
前記片培土器４は、図３、図４のように、前記ロータカバー２２のサイドカバー３９に沿って前後方向に形成の外側板４０と、この外側板４０の前端部から後部内側方に向けて傾斜形態に形成する培土成形板４１と、これら外側板４０と内側の培土成形板４１との後部間を連結する後端板４２と、これら外側板４０と培土成形板４１と後端板４２との間の上端部間を連結して覆う後下り傾斜の取付板４３、及び底板４７と等からなり、この取付板４３に前記コーナカバー３８をボルト締め等によって着脱可能に構成している。前記培土成形板４１の前端部には、外側板４０の前端縁との接合縁よりも前側外側へ突出する培土切込縁４４を形成して、耕耘土壌面に対する切込推進を行い易く形成している。
【００２９】
前記後端板４３の外側縁は、上端部が外側板４０よりも外側へ突出する形態に形成されて、下端部が外側板４０の下端部位置に形成される。この外側縁の後側縁に沿う傾斜ヒンジ４５の周りに左側の培土板５の前端部が回動可能に連結される。又、培土成形板４１の後端に連結する後端板４２の内側縁に沿う傾斜ヒンジ４６の周りに右側の培土板５の前端部が回動可能に連結される。これら左、右培土板５間の内側部には、ターンバックル４８形態の伸縮張設具を設けて、後端板４２に対する培土板５の後方開拡角度を広、狭に変更調節することができる。
【００３０】
前記のように、片培土器４の内側に形成の培土成形板４１は、内側面を耕耘幅側に向けて傾斜させて培土するように培土角度を有する形態とし、又、培土板５は、左、右各外側へ培土するように培土角度を有する形態としている。そして、片培土器４は耕耘土壌を耕耘部側の内側へ向けてのみ片培土する形態に構成し、培土板５は、この片培土器４の後側位置において、左右両外側部へ向けて対称状に両培土する形態に構成している。
【００３１】
次に、主として図６、図７に基づいて、前記ロータカバー２２の上側前部に漏斗状形態のホッパー６０を形成して、耕耘爪ロータ２の回転前側部の土壌面に肥料や薬剤を散布する。前記ホッパー６０は略ロータカバー２２の耕耘幅と同等幅に亘って形成し、下端部にはロータカバー２２の上面との間に横方向スリット状の散布口６１を形成している。前記ホッパー６０には肥料、又は薬剤を供給する供給ホース６２をのぞませている。
【００３２】
又、図８、図９、図１０に基づいて、前記ホッパー６０の散布口６１部を適宜間隔毎に部分的に狭くした狭間部６３を形成し、薬剤散布量の少い薄い箇所６４と、散布量の多く濃い箇所６５を形成させる。前記散布口６１の開口が耕耘幅に亘って一定である形態では、耕耘幅の中央部における散布量が濃くり、左右両端の散布量が薄くなる（図１０、Ａ）傾向にあるが、前記狭間部６３を適宜箇所に配置形成することによって、濃い所をなくして全耕耘幅に亘って均等散布させることができる（図１０、Ｂ）。前記リヤカバー３のコーナ部３７や、中央部６６の切欠部には片培土器や、培土器６７等を装着して耕耘土壌を畝培土することができるが、この場合に、前記培土器６７によって培土溝６８の形成されるとき、この培土器６７によって側部へ押し寄せられる培土溝６８の側部に薬剤散布量の濃部分６５を生ずる（Ａ）。この濃い部分６５を生ずる箇所に対応の散布口６１に狭間部６３を形成することによって、この濃い部分６５薬剤散布量を少くして全耕耘幅に亘って均一散布することができる（Ｂ）。
【００３３】
次に、主として図１１に基づいて、コ字状形態に屈曲形成した耕耘爪１を耕耘軸７周りに配置する耕耘爪ロータ２において、各耕耘爪１の基部曲面部７０、及び先端曲面部７１に耕耘土壌に作用する耕耘作用面を形成する。耕耘爪１の先端曲面部７１に耕した土壌を基部曲面部７０に耕すことができ、土壌表面７２を細耕して下層土壌７３を荒く耕す上、下二層形態に仕上げることができる。
【符号の説明】
【００３４】
１    耕耘爪
２    耕耘爪ロータ
３    リヤカバー
４    片培土器
５    培土板
６    畝立装置
７    耕耘軸
８    トラクタ
【図１】
0005821663.tif 000002
【図２】
0005821663.tif 000003
【図３】
0005821663.tif 000004
【図４】
0005821663.tif 000005
【図５】
0005821663.tif 000006
【図６】
0005821663.tif 000007
【図７】
0005821663.tif 000008
【図８】
0005821663.tif 000009
【図９】
0005821663.tif 000010
【図１０】
0005821663.tif 000011
【図１１】
0005821663.tif 000012